(57)【要約】【課題】床面と装置間に生じる隙間を閉塞可能な遊具装置の提供。【解決手段】本発明は、上下に揺動可能な遊具装置１００を前提とする。そして、本発明の遊具装置１００は、揺動機構２００で揺動される揺動板１２０と、閉塞部材１１０とを備える。上記閉塞部材１１０は、揺動板１２０の下方に配置され、当該揺動板１２０の揺動に合わせて変形することで、遊具装置１００が設置される床面と当該遊具装置１００に生じる隙間を防ぐことを特徴とする。【選択図】図１
2012100741.tif 000002
【特許請求の範囲】
【請求項１】
上下に揺動可能な遊具装置において、
揺動機構で揺動される揺動板と、
前記揺動板の下方に配置され、当該揺動板の揺動に合わせて変形することで、遊具装置が設置される床面と当該遊具装置に生じる隙間を閉塞する閉塞部材とを備えることを特徴とする遊具装置。
【請求項２】
前記閉塞部材が、気密に形成された環状弾性シートであり、当該閉塞部材内部に、前記変形が可能な程度の空気が注入され、
前記環状弾性シートに設けた中央貫通孔に、前記揺動機構が収容される、請求項１に記載の遊具装置。
【請求項３】
前記揺動板に遊具部材が配置される、請求項２に記載の遊具装置。
【請求項４】
前記遊具部材が、回転遊具である、請求項３に記載の遊具装置。
【請求項５】
前記遊具部材が、曲線を有する登り棒である、請求項３に記載の遊具装置。
【請求項６】
前記遊具部材が、前記揺動板に立設される複数の支柱と、当該複数の支柱先端に渡される桟と、当該桟から垂下される把持部材とを備える、請求項３に記載の遊具装置。
【請求項７】
前記閉塞部材が、前記揺動板に接続される複数の弾性棒を備え、前記隙間を当該複数の弾性棒を含む弾性シートで塞いだ、請求項１に記載の遊具装置。
【請求項８】
前記弾性棒が、グラスファイバである、請求項７に記載の遊具装置。
【発明の詳細な説明】
【技術分野】
【０００１】
本発明は、遊具装置に関し、特に床と当該遊具装置間との隙間を閉塞する閉塞部材を備えた遊具装置に関する。
【背景技術】
【０００２】
現在、様々な遊具装置が開発されており、上下左右に揺動する遊具装置も遊園地等に設置されている。例えば、下記特許文献１には、いわゆる、シーソのように揺動する遊具装置が開示されている。
【先行技術文献】
【特許文献】
【０００３】
【特許文献１】特開平１１−５７２２３号公報
【発明の概要】
【発明が解決しようとする課題】
【０００４】
従来技術のシーソのような遊具装置は、上下に揺動することで、ユーザ（年少の子供を想定している）の興味を持続させることをその目的とする。従って、遊具装置の一端が他端と比べて高い位置に来る際に、遊具装置が設置されている床と、上記遊具装置の一端との間に隙間が生じることになる。若しくは、回転した状態で上下に揺動する構成の遊具装置であると、上記隙間が常に生じることになる。
【０００５】
本発明で想定する年少の子供は、動く遊具に大変興味を持つ傾向が高く、上記上下動する遊具装置に下から近づくことで、上記隙間に手や足を挟む可能性がある。上記のように、遊具装置は上下に揺動するため、上記子供の保護者からは、子供の手や足を挟まない構成の遊具装置への要請が高い。
本発明の目的は、上下に揺動する遊具装置であっても、当該上下動により生ずる隙間に手や足を挟みにくい構成を備えた遊具装置を提供することにある。
【課題を解決するための手段】
【０００６】
上記課題を達成するための本発明は、上下に揺動可能な遊具装置を前提とする。そして、本発明の遊具装置は、揺動機構で揺動される揺動板と、閉塞部材とを備える。上記閉塞部材は、揺動板の下方に配置され、当該揺動板の揺動に合わせて変形することで、遊具装置が設置される床面と当該遊具装置に生じる隙間を防ぐことを特徴とする。
シーソのように、上下に揺動可能な遊具装置であると、遊具装置が、揺動機構により揺動されることにより、遊具装置が設置される床面と、当該遊具装置間に隙間が生じることになる。揺動機構で揺動される揺動板の揺動に合わせて変形することで当該隙間を閉塞する閉塞部材を備えることで、遊具装置が上下に揺動したとしても、上記閉塞部材が隙間を閉塞することが可能となる。従って、ブロア等により遊具装置内に常時空気を注入することなく、遊具装置に生じる隙間を閉塞することが可能となる。
【０００７】
上記の構成において、閉塞部材が、気密に形成された環状弾性シートであることが望ましい。そして、閉塞部材（環状弾性シート）内部に、変形が可能な程度の空気が注入される。更に、環状弾性シートの中央貫通孔に、揺動機構が収容される構成を採用することが望ましい。環状弾性シートの中央部分に揺動機構を収容することで、遊具装置内に揺動機構が配置可能となる。
【０００８】
揺動機構により揺動される揺動板に遊具部材３００が配置される構成を採用することもできる。例えば、遊具部材３００を回転遊具とする構成を採用することができる。若しくは、遊具部材３００が、曲線を有する登り棒とする構成を採用してもよい。更に、遊具部材３００が、前記揺動板に立設される複数の支柱と、当該複数の支柱先端に渡される桟と、当該桟から垂下される把持部材とを備える構成を採用し、把持部材にユーザが掴まって遊戯する遊具装置を構成すること可能となる。
【０００９】
上記の構成において、別の構成の閉塞部材を採用することも可能である。すなわち、上記閉塞部材が、揺動板に接続される複数の弾性棒を備え、遊具装置が配置される床面と、当該遊具装置に生じる隙間を当該複数の弾性棒を含む弾性シートで塞いだ構成を採用することもできる。上記弾性棒は、グラスファイバを使用することが望ましい。
遊具用回転装置に配置される遊具は、限定されない。例えば、登り棒及び、回転遊具や、鉄棒、滑り台、ぶらんこ、ジャングルジム、うんてい、ジャングルジムのような遊具及び、当該遊具の組み合わせを本発明の遊具用回転装置に配置する構成を採用しても構わない。更に、上記遊具装置の表面を衝撃吸収材で被覆しても構わない。衝撃吸収材はウレタンを採用すると、加工が簡単である。上方に配置される遊具部材３００の形状に応じて上記衝撃吸収材を適時加工して被覆することになる。
【発明の効果】
【００１０】
本発明は、上下に揺動可能な遊具装置を前提とする。そして、本発明の遊具装置は、揺動機構で揺動される揺動板と、閉塞部材とを備える。上記閉塞部材は、揺動板の下方に配置され、当該揺動板の揺動に合わせて変形することで、遊具装置が設置される床面と当該遊具装置に生じる隙間を防ぐことを特徴とする。
シーソのように、上下に揺動可能な遊具装置であると、遊具装置が、揺動機構により揺動されることにより、遊具装置が設置される床面ト、当該遊具装置間に隙間が生じることになる。揺動機構で揺動される揺動板の揺動に合わせて変形することで当該隙間を閉塞する閉塞部材を備えることで、遊具装置が上下に揺動したとしても、上記閉塞部材が隙間を閉塞することが可能となる。
【図面の簡単な説明】
【００１１】
【図１】本発明の実施形態に係る遊具用回転装置の全体構成を示す概念図である。
【図２】本発明の実施形態に係る遊具用回転装置の全体構成を示す概念図である。
【図３】本発明の実施形態に係る遊具用回転装置に遊具を備えた遊具装置の全体構成を示す概念図である。
【図４】本発明の実施形態に係る遊具用回転装置に遊具を備えた遊具装置の全体構成を示す概念図である。
【図５】本発明の実施形態に係る遊具用回転装置の全体構成を示す概念図である。
【図６】本発明の実施形態に係る遊具用回転装置の全体構成を示す概念図である。
【発明を実施するための形態】
【００１２】
以下に、本発明の遊具装置１００について図面を参照して説明する。図１は、本発明の遊具装置１００の全体構成を示す概略模式図であり、図２及び図３は本発明の遊具装置の揺動機構の概略模式図を示している。ただし、本発明に直接には関係しない各部の詳細は省略している。
図１に示すように、本発明の遊具装置１００は、揺動機構２００で揺動可能な揺動板１２０と、気密性素材で形成した閉塞部材１１０とを備える。なお、後述のように、当該閉塞部材１１０は、上記揺動板１２０の下方に備えられる。
【００１３】
まず、本実施例の遊具装置１００に備える揺動機構２００を説明する。床面に設置される基板上に駆動モータ２１０を配設する。そして、上記駆動モータ２１０で回転可能な歯車が配置される。例えば、上記駆動モータ２１０出力軸に小歯車２２０を取り付け、当該小歯車２２０の回転により回転可能な大歯車２３０を設けることができる。更に、上記大歯車２３０にクランク２４０の一端が接続されることで、揺動機構２００が構成される。次に、上記揺動機構２００により揺動される揺動板１２０が接続される。すなわち、上記クランク２４０の他端が、揺動板１２０の下面に軸着されることになる。もちろん上記揺動板１２０は、例えば軸受け２５０により揺動可能に軸支されることは言うまでもない。上記構成を採用することで、駆動モータ２１０の出力軸がその軸中心に回転すると、上記大歯車２３０を介して、上記クランク２４０の下端が上下に移動する。従って、上記クランク２４０他端に接続された揺動板１２０が上下方向に揺動することになる。
【００１４】
本発明の閉塞部材は、上記のように構成された揺動機構２００を収容し、上記揺動板１２０が上下動されると、膨らんだり萎んだりすることで、遊具装置１００下部に生じる隙間を閉塞する部材である。気密性の高い弾性部材に、上記揺動機構２００が入る程度の貫通孔を形成することで、本実施例の閉塞部材１１０が構成される。上記揺動機構２００が収容可能なように、当該揺動機構２００及び貫通孔の大きさを調節する。例えば、中央に貫通孔が形成されるように、弾性シートを溶着することで、本実施例の閉塞部材１１０を構成することが可能となる。なお、当該閉塞部材１１０が膨らんだり萎んだりできる程度に、閉塞部材１１０内の空気の量が調節されることは言うまでもない。
【００１５】
上記揺動機構２００が上記閉塞部材１１０に収容され、当該揺動機構２００に揺動板１２０が配置されることになる。上記揺動機構２００と、揺動板１２０との間を布状テープ１２２等の接続手段で埋める構成を採用しても構わない。上記揺動機構２００により、遊具装置１００に備えた揺動板１２０が上下動すると、当該閉塞部材１１０中の空気の移動により、上記閉塞部材１１０の一方端（揺動板１２０の端が下がった方）付近の閉塞部材１１０が膨らむ。逆に、上記閉塞部材１１０の他端（揺動板１２０の端が下がった方）付近の閉塞部材１１０が萎むことになる。なお、この閉塞部材１１０を構成するシートの素材には、天然樹脂や合成樹脂から構成された通気性を有しない素材の他、各種繊維から構成された織編物からなり、通気性を有する素材が好適に用いられる。
【００１６】
上記のように閉塞部材１１０を構成すると、外側に膨出した閉塞部材１１０は、内部の空気圧によりエアマットのような弾性を備えた状態となり、ユーザは、このような弾性を有する閉塞部材１１０に乗り上がることで、ふわふわとした浮遊感を味わうことができる。
（実施の形態２）
上記のように構成した遊具装置１００に、所定の遊具部材３００を配置する構成を採用しても構わない。なお、上記遊具部材３００を配置する以外の構成については上記実施の形態１と同じである。従って、遊具部材３００以外の構成については説明を省略する。
【００１７】
例えば、図４（Ａ）に示すように、ユーザが把持可能な把持部材３１６を吊り下げた遊具部材３００を上記遊具装置１００に備える構成を採用することができる。例えば、複数の支持棒３１０を上記遊具装置１００に立設し、当該支持棒３１０の上端同士を桟３１２で渡す。そして、把持部材３１６を上記桟３１２から垂下する構成が採用できる。
その他、図４（Ｂ）に示すように、回転遊具を遊具部材３００として遊具装置上部に配置する構成を採用してもよい。当該回転遊具は回転体を複数段積み重ねて構成される。例えば、回転駆動を与える駆動モータを当該回転遊具の回転体内に備える構成を採用してもよい。また、最上段の回転体をボール３２０で形成してもよい。当該ボール３２０はユーザが所定高さ以上までよじ登ることを防止するよじ登り防止手段である。
【００１８】
若しくは、図５（Ａ）に示すように、登り棒を遊具部材３００の例として上記遊具装置１００に配置することができる。登り棒は、ユーザが掴まることが可能な程度の外周で形成されたポール３３０と、下部支持体３３２を含む。上記下部支持体３３２でポール３３０を支持することで登り棒を形成する。上記ポール３３０がポール３３０の軸周りに回転可能なように、上記下部支持体３３２が当該ポール３３０を支持する構成を採用しても構わない。例えば、下部支持体３３２内に軸受けを設け、当該軸受けがポール３３０を軸支する構成を採用することで上記ポール３３０が回転可能な登り棒が構成される。
【００１９】
遊具装置に配置される上記遊具部材３００は、上記登り棒及び、回転遊具単体でもよいし、当該登り棒及び、回転遊具の組み合わせであっても構わない。更に、上記登り棒及び、回転遊具の他に、砂場、鉄棒、滑り台、ぶらんこ、ジャングルジム、うんてい、ジャングルジムのような遊具部材３００及び、当該遊具部材３００の組み合わせを本発明の遊具装置１００に配置する構成を採用しても構わない。図５（Ｃ）に示すように遊具部材３００をヨット３４０等の形状に模しても構わない。
【００２０】
（実施の形態３）
実施の形態１では、閉塞部材１１０を弾性シートにより形成した。これに対して、閉塞部材１１０をグラスファイバ４００等の弾性棒で構成することが可能である。なお、閉塞部材１１０の構成以外の構成については、上記実施の形態１に記載した通りであるので、遊具装置１００についてのその他の説明は省略する。
【００２１】
グラスファイバ４００のような弾性棒を複数用意する。そして、上記揺動板１２０と基板に上記弾性棒を接続し、弾性棒同士の隙間を弾性シートで塞ぐことで、閉塞部材１１０を構成することが可能となる。
（その他）
本発明の遊具装置１００は、以下のように装飾される。まず、各部材を所定の衝撃吸収材で被覆する。この衝撃吸収材は、遊具装置１００の外周等にウレタン等の発泡体を被覆する。そして、衝撃吸収材を遊具装置１００の一部（装置すべてでもよく、ユーザが接触することが予想される部分でもよい。）に被覆した後、当該衝撃吸収材の表面に、ゴム樹脂を塗布することで、衝撃吸収材の表面を撥水加工する。なお、上記衝撃吸収材は、ウレタン以外の組成物であってもよく、ポリエチレン等の発泡体等の衝撃吸収材が好適に用いられる。なお、ゴム樹脂の他に、可撓性の装飾シートで被覆しても構わない。
【００２２】
上記のように、ゴム樹脂を塗布した衝撃吸収材に、ＬＥＤ等の装飾具を取り付けることで、遊具装置１００を装飾することが可能となる。なお、上記の方法により、後述の遊具部材３００に上記衝撃吸収材を被覆しても構わない。
【産業上の利用可能性】
【００２３】
本発明は、上下に揺動可能な遊具装置を前提とする。そして、本発明の遊具装置は、揺動機構で揺動される揺動板と、閉塞部材とを備える。上記閉塞部材は、揺動板の下方に配置され、当該揺動板の揺動に合わせて変形することで、遊具装置が設置される床面と当該遊具装置に生じる隙間を防ぐことを特徴とする。
シーソのように、上下に揺動可能な遊具装置であると、遊具装置が、揺動機構により揺動されることにより、遊具装置が設置される床面ト、当該遊具装置間に隙間が生じることになる。揺動機構で揺動される揺動板の揺動に合わせて変形することで当該隙間を閉塞する閉塞部材を備えることで、遊具装置が上下に揺動したとしても、上記閉塞部材が隙間を閉塞することが可能となる遊具装置を複雑な機構を必要とせずに、簡単に構成することが可能となり、その産業上の利用可能性は大きい。
【符号の説明】
【００２４】
１００  遊具装置
１１０  閉塞部材
１２０  揺動板
２００  揺動機構
２１０  駆動モータ
２２０  小歯車
２３０  大歯車
２４０  クランク
３００  遊具部材３００
３１０  支持棒
３１２  桟
３１６  把持部材
４００  グラスファイバ
【図１】
2012100741.tif 000003
【図２】
2012100741.tif 000004
【図３】
2012100741.tif 000005
【図４】
2012100741.tif 000006
【図５】
2012100741.tif 000007
【図６】
2012100741.tif 000008